(57)【要約】【課題】ＣＡＤを用いた電子機器の設計業務における各種の設計計算を有効に支援することのできる設計計算支援装置を提供する。【解決手段】ＣＡＤを用いた電子機器の設計業務における各種の設計計算を支援する装置であって、設計計算項目に応じた設計計算ツールを統一的に管理する手段と、設計対象のモジュールおよび部品から上記設計計算ツールを特定して設計者に提示する手段とを備える。【選択図】図１
2008225656.tif 000002
【特許請求の範囲】
【請求項１】
ＣＡＤを用いた電子機器の設計業務における各種の設計計算を支援する装置であって、
設計計算項目に応じた設計計算ツールを統一的に管理する手段と、
設計対象のモジュールおよび部品から上記設計計算ツールを特定して設計者に提示する手段とを備えたことを特徴とする設計計算支援装置。
【請求項２】
請求項１に記載の設計計算支援装置において、
設計計算の実施漏れの有無を確認し、実施漏れがない場合に上位組織に設計計算結果の承認を依頼する手段と、
図面の作成完了時に、設計計算結果の承認の有無を確認し、承認が行われている場合に上位組織に検図・承認を依頼する手段とを備えたことを特徴とする設計計算支援装置。
【請求項３】
請求項１に記載の設計計算支援装置において、
上記設計計算ツールによる設計計算の結果をデータベースで統一的に管理する手段と、
上記データベースに、テーマ名・設計段階・設計計算項目ごとに表形式で上記設計計算ツールによる計算結果を保存する手段とを備えたことを特徴とする設計計算支援装置。
【請求項４】
請求項１に記載の設計計算支援装置において、
テーマ名・設計段階から過去機種の設計計算結果を特定し、設計者に提示する手段を備えたことを特徴とする設計計算支援装置。
【請求項５】
請求項１に記載の設計計算支援装置において、
上記ＣＡＤと上記設計計算ツールの間でデータを相互に反映させる手段を備えたことを特徴とする設計計算支援装置。
【請求項６】
請求項１に記載の設計計算支援装置において、
設計対象のモジュールおよび部品に応じた設計計算に有用な技術ガイドを設計者に提示する手段を備えたことを特徴とする設計計算支援装置。
【請求項７】
請求項１に記載の設計計算支援装置において、
設計対象のモジュールおよび部品に応じた設計計算に有用な再発防止事例を設計者に提示する手段を備えたことを特徴とする設計計算支援装置。
【請求項８】
ＣＡＤを用いた電子機器の設計業務における各種の設計計算を支援する方法であって、
設計計算項目に応じた設計計算ツールを統一的に管理する工程と、
設計対象のモジュールおよび部品から上記設計計算ツールを特定して設計者に提示する工程とを備えたことを特徴とする設計計算支援方法。
【請求項９】
ＣＡＤを用いた電子機器の設計業務における各種の設計計算を支援する装置の制御プログラムであって、
コンピュータを、
設計計算項目に応じた設計計算ツールを統一的に管理する手段、
設計対象のモジュールおよび部品から上記設計計算ツールを特定して設計者に提示する手段、
として機能させることを特徴とする設計計算支援プログラム。
【発明の詳細な説明】
【技術分野】
【０００１】
本発明は、ＭＦＰ（Multi Function Printer）等の電子機器の設計業務における設計計算を支援する技術に関する。
【背景技術】
【０００２】
電子機器の設計業務においては、図面の作成に主にＣＡＤ（Computer Aided Design）が用いられる（例えば、特許文献１〜３参照。）。また、図面に表す個々の部品の設計に際し、その機械的性質や熱的性質等を考慮した各種の設計計算が行われる。設計計算の結果は部品ひいては最終製品の品質に大きく影響する。
【０００３】
設計計算はＭＳ−Ｅｘｃｅｌ（商品名）等により作成された設計計算ツールを用いて行われることが多く、設計計算を実施する際、設計者は社内の複数のＤＢ（Data Base）に散在した設計計算ツールを手作業により探して使用していた。また、メーカーのサイトから設計計算ツールをダウンロードして使用する場合もあった。
【特許文献１】特許第３８３７０６７号公報
【特許文献２】特許第３８３７０６８号公報
【特許文献３】特許第３８６８２８４号公報
【発明の開示】
【発明が解決しようとする課題】
【０００４】
設計業務における設計計算は上述したように行われるものであったが、次のような問題点が指摘されていた。
（１）使用すべき最新の設計計算ツールが統一的に管理されていなかったため、設計者が各々の判断で設計計算を実施しており、古い設計計算ツールを使用したり、設計計算をしなかったりといった場合も存在し、設計計算の結果や設計計算の実施の有無に個人差が生じ、十分な品質を維持できない場合があった。
（２）設計計算を実施する場合であっても、計算結果の保存場所が統一的に管理されていなかったため、設計者ごとに計算結果の保存場所が異なっており、設計者が過去の類似する機種の計算結果を参照することが困難であった。
【０００５】
本発明は上記の従来の問題点に鑑み提案されたものであり、その目的とするところは、ＣＡＤを用いた電子機器の設計業務における各種の設計計算を有効に支援することのできる設計計算支援装置を提供することにある。
【課題を解決するための手段】
【０００６】
上記の課題を解決するため、本発明にあっては、請求項１に記載されるように、ＣＡＤを用いた電子機器の設計業務における各種の設計計算を支援する装置であって、設計計算項目に応じた設計計算ツールを統一的に管理する手段と、設計対象のモジュールおよび部品から上記設計計算ツールを特定して設計者に提示する手段とを備える設計計算支援装置を要旨としている。
【０００７】
また、請求項２に記載されるように、請求項１に記載の設計計算支援装置において、設計計算の実施漏れの有無を確認し、実施漏れがない場合に上位組織に設計計算結果の承認を依頼する手段と、図面の作成完了時に、設計計算結果の承認の有無を確認し、承認が行われている場合に上位組織に検図・承認を依頼する手段とを備えるようにすることができる。
【０００８】
また、請求項３に記載されるように、請求項１に記載の設計計算支援装置において、上記設計計算ツールによる設計計算の結果をデータベースで統一的に管理する手段と、上記データベースに、テーマ名・設計段階・設計計算項目ごとに表形式で上記設計計算ツールによる計算結果を保存する手段とを備えるようにすることができる。
【０００９】
また、請求項４に記載されるように、請求項１に記載の設計計算支援装置において、テーマ名・設計段階から過去機種の設計計算結果を特定し、設計者に提示する手段を備えるようにすることができる。
【００１０】
また、請求項５に記載されるように、請求項１に記載の設計計算支援装置において、上記ＣＡＤと上記設計計算ツールの間でデータを相互に反映させる手段を備えるようにすることができる。
【００１１】
また、請求項６に記載されるように、請求項１に記載の設計計算支援装置において、設計対象のモジュールおよび部品に応じた設計計算に有用な技術ガイドを設計者に提示する手段を備えるようにすることができる。
【００１２】
また、請求項７に記載されるように、請求項１に記載の設計計算支援装置において、設計対象のモジュールおよび部品に応じた設計計算に有用な再発防止事例を設計者に提示する手段を備えるようにすることができる。
【００１３】
また、請求項８に記載されるように、設計計算支援方法として構成することができる。
【００１４】
また、請求項９に記載されるように、設計計算支援プログラムとして構成することができる。
【発明の効果】
【００１５】
本発明の設計計算支援装置にあっては、ＣＡＤを用いた電子機器の設計業務における各種の設計計算を有効に支援することができる。
【発明を実施するための最良の形態】
【００１６】
以下、本発明の好適な実施形態につき説明する。
【００１７】
＜システム構成＞
図１は本発明の一実施形態にかかるシステムの構成例を示す図である。
【００１８】
図１において、ＰＣ（Personal Computer）、ＷＳ（Work Station）等のクライアント１Ａ、１Ｂ、１Ｃ・・・がＬＡＮ（Local Area Network）等のネットワーク２に接続され、ネットワーク２には各種の設定を保持するＩＮＩ（initial setting）ファイル３１を保持するＩＮＩファイル管理サーバ３と、ＬｏｔｕｓＮｏｔｅｓ（商品名）等のグループウェアサーバ４とが接続されている。
【００１９】
クライアント１Ａ、１Ｂ、１Ｃ・・・は、ＣＡＤと連携して設計計算を支援する設計計算支援ツール１１と、ＣＡＤの機能を提供するＣＡＤアプリケーション１２とを備えている。ＣＡＤアプリケーション１２は、図面の作成完了時に上位組織に検図・承認を依頼する検図・承認依頼制御部１２１と、ＣＡＤ上の操作を設計計算支援ツール１１等と連携させるために用いるＡＰＩ（Application Program Interface）１２２とを備えている。設計計算支援ツール１１およびＣＡＤアプリケーション１２はソフトウェアにより構成されるものであり、予めクライアント１Ａ、１Ｂ、１Ｃ・・・にインストールされる。設計計算支援ツール１１は単独に起動できるほか、ＣＡＤアプリケーション１２からも起動できるようになっている。
【００２０】
グループウェアサーバ４は、設計計算の結果を管理する設計計算結果表ＤＢ４１と、設計計算項目に応じた複数の設計計算ツール４２と、設計計算に有用な技術ガイド４３および再発防止事例４４を備えている。設計計算結果表ＤＢ４１は、個々の設計計算結果を保持する設計計算結果表４１１と、上位組織に設計計算結果の承認を依頼する設計計算承認依頼制御部４１２とを備えている。
【００２１】
図２は設計計算支援ツール１１の構成例を示す図であり、ＵＩ（User Interface）画面の制御を行うＵＩ画面制御部１１１と、設計計算ツール４２の特定および起動を行う設計計算ツール特定・起動部１１２と、前身機・過去の類似機種での設計計算結果の参照を行う既存計算結果参照部１１３と、設計計算結果の保存を行う計算結果保存部１１４と、ＣＡＤアプリケーション１２との連携を行うＣＡＤ連携部１１５と、設計計算に有用な技術ガイドの提供を行う技術ガイド提供部１１６と、設計計算に有用な再発防止事例の提供を行う再発防止事例提供部１１７とを備えている。
【００２２】
図３はＩＮＩファイル３１の構造例を示す図であり、ＩＮＩファイル＃１（３１１）、ＩＮＩファイル＃２（３１２）、ＩＮＩファイル＃３（３１３）、ＩＮＩファイル＃４（３１４）、ＩＮＩファイル＃５（３１５）、ＩＮＩファイル＃６（３１６）を備えている。
【００２３】
ＩＮＩファイル＃１（３１１）は、設計計算の項目を決定し、設計計算ツール４２にアクセスするためのファイルであり、「ユニット名」「部品名」「設計計算項目名」「設計計算ツールのパス」「基準値」「保存フィールド名」等の項目を含んでいる。
【００２４】
ＩＮＩファイル＃２（３１２）は、ユニット名・テーマ名・開発コード名から設計計算結果の保存場所を決定するためのファイルであり、「ユニット名」「テーマ名」「開発コード名」「設計段階」「保存文書のパス」等の項目を含んでいる。
【００２５】
ＩＮＩファイル＃３（３１３）は、ユニット名・部品名から技術ガイドにアクセスするためのファイルであり、「ユニット名」「部品名」「技術ガイド名」「技術ガイドの要約」「技術ガイドのパス」等の項目を含んでいる。
【００２６】
ＩＮＩファイル＃４（３１４）は、ユニット名・部品名から再発防止事例にアクセスするためのファイルであり、「ユニット名」「部品名」「再発防止事例名」「再発防止事例の要約」「再発防止事例のパス」等の項目を含んでいる。
【００２７】
ＩＮＩファイル＃５（３１５）は、設計計算ツール４２の使用方法のガイドにアクセスするためのファイルであり、「ユニット名」「部品名」「計算項目名」「ガイド名」「ガイドのパス」等の項目を含んでいる。
【００２８】
ＩＮＩファイル＃６（３１６）は、前身機・過去の類似機種の計算結果を参照するためのファイルであり、「ユニット名」「テーマ名」「設計段階」「保存文書のパス」等の項目を含んでいる。
【００２９】
図４は設計計算結果表ＤＢ４１の階層構造の例を示す図である。設計計算結果表ＤＢ４１は設計計算の結果を保存するために作成されたデータベースであり、この例では、機種「ＴＥＳＴ」、ユニット「定着」、設計段階「機能試」という階層の下に計算結果の文書が作成され保持されている。文書は、設計計算項目ごとに、表形式で、計算結果のファイル、数値、実験結果等を保存できるように整備されている。
【００３０】
図５は設計計算結果表ＤＢ４１の文書の構造例を示す図であり、「Ｎｏ」「分類」「項目（単位）」「計算方法」「基準値」「計算結果」（「結果」「ファイル」）等の項目を有している。「計算結果」は保存フィールドであり、「結果」および「ファイル」はＩＮＩファイル＃１（３１１）により設計計算項目と紐付いている。
【００３１】
図６は設計計算ツール４２の例を示す図であり、Ｅｘｃｅｌファイル等から構成され、設計者がモデルの機械特性や熱特性を計算する作業をアシストし、寸法・材料特性等を入力すると自動で計算結果を表示する。また、複数の異なる寸法を入力して計算することが可能であり、最適な寸法を左端のチェック欄から選択することができる。また、設計計算ツールは計算結果の自動判別機能を備えており、計算結果が予め設定された基準に合致しないときは、ダイアログを表示して再計算を促すことができる。
【００３２】
＜動作＞
図７は設計業務の全体的な処理例を示す図である。
【００３３】
図７において、設計者はＣＡＤによる設計を行う過程（ステップＳ１）で、設計計算ツール４２による設計計算を行う（ステップＳ２）。この際、後述するように、設計に必要な情報の絞り込み、技術ガイドの参照、再発防止事例の参照、設計計算ツールの特定、既存設計計算結果の参照、設計計算ツールの起動、ＣＡＤとの連携、設計計算結果の保存を行う。
【００３４】
また、設計計算を行った後の適当なタイミングにおいて、上位組織に対する設計計算の承認依頼を行う（ステップＳ３）。
【００３５】
また、図面の作成完了時に上位組織に検図・承認を依頼する（ステップＳ４）。
【００３６】
図８は設計計算支援ツール１１による設計に必要な情報の絞り込みの処理例を示すフローチャートである。
【００３７】
図８において、設計者がＣＡＤアプリケーション１２から設計計算支援ツール１１を起動することにより処理を開始すると（ステップＳ１０１）、設計計算支援ツール１１は第１画面を表示する（ステップＳ１０２）。図９は第１画面５１の例を示す図であり、ユニット名表示欄５１１とコンテンツ名表示欄５１２と部品名表示欄５１３と「ＯＫ」ボタン５１４とを備えている。
【００３８】
図８に戻り、設計計算支援ツール１１はＩＮＩファイル＃１（３１１）からユニット名を読み込み（ステップＳ１０３）、第１画面５１のユニット名表示欄５１１にユニット名を表示し（ステップＳ１０４）、第１画面５１のユニット名表示欄５１１より設計者により選択されたユニット名を取得する（ステップＳ１０５）。
【００３９】
次いで、取得したユニット名に属する部品名をＩＮＩファイル＃１（３１１）から読み込み（ステップＳ１０６）、第１画面５１の部品名表示欄５１３に部品名を表示し（ステップＳ１０７）、第１画面５１の部品名表示欄５１３より設計者により選択された部品名を取得する（ステップＳ１０８）。
【００４０】
その後、設計者による「ＯＫ」ボタン５１４の選択により入力確認を受け付けると（ステップＳ１０９）、第２画面を表示する（ステップＳ１１０）。図１０は第２画面５２の例を示す図であり、設計計算項目名表示欄５２１、基準値表示欄５２２、「設計計算を行う」ボタン５２３と、技術ガイド名表示欄５２４、要約表示欄５２５、「ガイドを開く」ボタン５２６と、再発防止事例名表示欄５２７、要約表示欄５２８、「再発防止事例を開く」ボタン５２９とを備えている。
【００４１】
図８に戻り、設計計算支援ツール１１は既に第１画面５１で取得した部品名に属する設計計算項目名と基準値をＩＮＩファイル＃１（３１１）より取得し（ステップＳ１１１）、第２画面５２の設計計算項目名表示欄５２１に設計計算項目名を表示するとともに、基準値表示欄５２２に基準値を表示する（ステップＳ１１２）。
【００４２】
また、第１画面５１で取得した部品名に属する技術ガイド名と技術ガイドの要約をＩＮＩファイル＃３（３１３）より取得し（ステップＳ１１３）、第２画面５２の技術ガイド名表示欄５２４に技術ガイド名を表示するとともに、要約表示欄５２５に技術ガイドの要約を表示する（ステップＳ１１４）。
【００４３】
また、第１画面５１で取得した部品名に属する再発防止事例名と再発防止事例の要約をＩＮＩファイル＃４（３１４）より取得し（ステップＳ１１５）、第２画面５２の再発防止事例名表示欄５２７に再発防止事例名を表示するとともに、要約表示欄５２８に再発防止事例の要約を表示し（ステップＳ１１６）、処理を終了する（ステップＳ１１７）。なお、第２画面５２の表示は維持する。
【００４４】
図１１は技術ガイドの表示の処理例を示すフローチャートである。
【００４５】
図１１において、第２画面５２が表示されている際に（ステップＳ１２１）、技術ガイド名表示欄５２４より設計者により選択された技術ガイド名を取得し（ステップＳ１２２）、取得した技術ガイド名に対応する文書のパスをＩＮＩファイル＃３（３１３）より取得する（ステップＳ１２３）。
【００４６】
そして、設計者による「ガイドを開く」ボタン５２６の選択を受け付けると（ステップＳ１２４）、取得したパスから対応する技術ガイドの文書をオープンし（ステップＳ１２５）、処理を終了する（ステップＳ１２６）。なお、第２画面５２の表示は維持する。
【００４７】
図１２は再発防止事例の表示の処理例を示すフローチャートである。
【００４８】
図１２において、第２画面５２が表示されている際に（ステップＳ１３１）、再発防止事例名表示欄５２７より設計者により選択された再発防止事例名を取得し（ステップＳ１３２）、取得した再発防止事例名に対応する文書のパスをＩＮＩファイル＃４（３１４）より取得する（ステップＳ１３３）。
【００４９】
そして、設計者による「再発防止事例を開く」ボタン５２９の選択を受け付けると（ステップＳ１３４）、取得したパスから対応する再発防止事例の文書をオープンし（ステップＳ１３５）、処理を終了する（ステップＳ１３６）。なお、第２画面５２の表示は維持する。
【００５０】
図１３は設計計算ツールの特定の処理例を示すフローチャートである。
【００５１】
図１３において、第２画面５２が表示されている際に（ステップＳ１４１）、設計計算項目名表示欄５２１より設計者により選択された設計計算項目名を取得し（ステップＳ１４２）、取得した設計計算項目名に対応する設計計算ツールのパスをＩＮＩファイル＃１（３１１）より取得する（ステップＳ１４３）。
【００５２】
そして、設計者による「設計計算を行う」ボタン５２３の選択を受け付けると（ステップＳ１４４）、第３画面を表示し（ステップＳ１４５）、処理を終了する（ステップＳ１４６）。図１４は第３画面５３の例を示す図であり、設計計算項目の設計計算の理論についてのガイドを参照するためのガイド参照ボタン５３１と、設計計算結果表ＤＢ４１のトップを開くための「設計計算結果表ＤＢ」ボタン５３２と、前身機・過去の類似機種の計算結果を絞り込むためのテーマ名を表示しその中から所望のテーマ名を選択させるテーマ名表示欄５３３と、設計段階を表示しその中から所望の設計段階を選択させる設計段階表示欄５３４と、選択されたテーマ名および設計段階から該当する計算結果表を参照するための「計算結果表」ボタン５３５とを備えている。また、設計計算ツール４２を起動するための設計計算ツール起動ボタン５３６と、設計計算ツール４２による計算結果をＣＡＤの図面に反映するための「図面へ反映」ボタン５３７と、設計計算ツール４２による計算結果を設計計算結果表ＤＢ４１に保存するための「設計計算結果表ＤＢに保存」ボタン５３８とを備えている。
【００５３】
図１５は既存設計計算結果の参照の処理例を示す図である。
【００５４】
図１５において、第３画面５３が表示されている際に（ステップＳ１５１）、設計計算支援ツール１１はＩＮＩファイル＃６（３１６）からテーマ名を読み込み（ステップＳ１５２）、第３画面５３のテーマ名表示欄５３３にテーマ名を表示し（ステップＳ１５３）、テーマ名表示欄５３３から設計者により選択されたテーマ名を取得する（ステップＳ１５４）。
【００５５】
次いで、取得したテーマ名に属する設計段階をＩＮＩファイル＃６（３１６）より取得し（ステップＳ１５５）、設計段階表示欄５３４に設計段階を表示し（ステップＳ１５６）、設計段階表示欄５３４から設計者により選択された設計段階を取得する（ステップＳ１５７）。
【００５６】
次いで、取得した設計段階に対応する文書のパスをＩＮＩファイル＃６（３１６）より取得する（ステップＳ１５８）。
【００５７】
そして、設計者による「計算結果表」ボタン５３５の選択を受け付けると（ステップＳ１５９）、パスから対応する文書をオープンし（ステップＳ１６０）、処理を終了する（ステップＳ１６１）。なお、第３画面５３の表示は維持する。
【００５８】
オープンした設計計算結果表を参照することで、これから行おうとする設計計算の参考にすることができるとともに、設計計算結果を引き継ぐことで重複した設計計算を省略することができる。
【００５９】
図１６は設計計算ツール４２の起動の処理例を示すフローチャートである。
【００６０】
図１６において、第３画面５３が表示されている際に（ステップＳ１７１）、設計者による設計計算ツール起動ボタン５３６の選択を受け付けると（ステップＳ１７２）、設計計算ツール４２を起動（Ｅｘｃｅｌファイルのオープン）し（ステップＳ１７３）、処理を終了する（ステップＳ１７４）。なお、第３画面５３の表示は維持する。
【００６１】
図１７はＣＡＤアプリケーション１２から設計計算ツール４２へのデータ反映の処理例を示すフローチャートである。
【００６２】
図１７において、ＣＡＤアプリケーション１２のＣＡＤ画面から処理を開始し（ステップＳ１８１）、設計者によるＣＡＤ（モデル・図面）における設計データのクリックを受け付けると（ステップＳ１８２）、ＡＰＩ１２２でのイベントが発生する（ステップＳ１８３）。
【００６３】
設計計算支援ツール１１ではＡＰＩ１２２を介してデータを取得し（ステップＳ１８４）、設計計算ツール４２へのデータの引き渡しを行い（ステップＳ１８５）、設計計算ツール４２でのデータ反映を行い（ステップＳ１８６）、処理を終了する（ステップＳ１８７）。
【００６４】
図１８は設計計算ツール４２からＣＡＤアプリケーション１２へのデータ反映の処理例を示すフローチャートである。
【００６５】
図１８において、設計計算ツール４２から処理を開始し（ステップＳ１９１）、設計計算ツール４２で設計者によるパラメータの選択（図６の左端のチェック）を受け付け（ステップＳ１９２）、設計計算支援ツール１１で設計者によるデータ反映指示（図１４の「図面へ反映」ボタン５３７の選択）を受け付けると（ステップＳ１９３）、設計計算支援ツール１１からＡＰＩ１２２へのデータの引き渡しを行う（ステップＳ１９４）。
【００６６】
これを受け、ＣＡＤアプリケーション１２ではＣＡＤ（モデル・図面）でのデータ反映を行い（ステップＳ１９５）、処理を終了する（ステップＳ１９６）。
【００６７】
図１９は設計計算結果の保存の処理例を示すフローチャートである。
【００６８】
図１９において、第３画面５３が表示されている際に（ステップＳ２０１）、「設計計算結果表ＤＢに保存」ボタン５３８の選択を受け付けると（ステップＳ２０２）、第４画面を表示する（ステップＳ２０３）。図２０は第４画面５４の例を示す図であり、保存文書を絞り込むためのテーマ名を表示しその中から所望のテーマ名を選択させるテーマ名表示欄５４１と、設計段階を表示しその中から所望の設計段階を選択させる設計段階表示欄５４２と、必要に応じてコメントを入力させるコメント入力欄５４３と、保存を指示する「ファイルに保存」ボタン５４４とを備えている。
【００６９】
図１９に戻り、設計計算支援ツール１１はＩＮＩファイル＃２（３１２）からテーマ名を取得し（ステップＳ２０４）、第４画面５４のテーマ名表示欄５４１にテーマ名を表示し（ステップＳ２０５）、テーマ名表示欄５４１から設計者により選択されたテーマ名を取得する（ステップＳ２０６）。
【００７０】
次いで、取得したテーマ名に属する設計段階をＩＮＩファイル＃２（３１２）から取得し（ステップＳ２０７）、設計段階表示欄５４２に設計段階を表示し（ステップＳ２０８）、設計段階表示欄５４２から設計者により選択された設計段階を取得する（ステップＳ２０９）。
【００７１】
次いで、取得した設計段階に対応する保存文書のパスをＩＮＩファイル＃２（３１２）より取得し（ステップＳ２１０）、第２画面５２の設計計算項目名表示欄５２１より既に取得してある設計計算項目名を確認し（ステップＳ２１１）、取得した設計計算項目名に対応する保存フィールド名をＩＮＩファイル＃１（３１１）より取得する（ステップＳ２１２）。
【００７２】
次いで、コメントの入力があればそれを受け付ける（ステップＳ２１３）。
【００７３】
次いで、設計者による「ファイルに保存」ボタン５４４の選択を受け付けると（ステップＳ２１４）、パスより保存文書をオープンし（ステップＳ２１５）、設計計算ツール４２のファイル内の〔計算結果〕セルをキーとして、計算結果の数値を取得する（ステップＳ２１６）。
【００７４】
そして、設計計算ツール４２のファイルおよび計算結果の数値を、決定した保存文書のフィールドに保存し（ステップＳ２１７）、処理を終了する（ステップＳ２１８）。なお、第４画面５４の表示は維持する。
【００７５】
図２１は設計計算承認依頼の処理例を示すフローチャートである。
【００７６】
図２１において、設計計算結果表ＤＢ４１の該当する文書を開いた状態で処理を開始すると（ステップＳ２２１）、計算結果フィールドに実施漏れ（Ｎｕｌｌ）はないか否か判断し（ステップＳ２２２）、漏れがない場合は承認者へメールを送信し（ステップＳ２２３）、処理を終了する（ステップＳ２２４）。漏れがある場合は承認者へのメール送信は行わずに処理を終了する。
【００７７】
図２２は検図・承認依頼の処理例を示すフローチャートである。
【００７８】
図２２において、ＣＡＤ側において処理を開始すると（ステップＳ２３１）、設計計算結果表ＤＢ４１の文書は承認されているか否か判断し（ステップＳ２３２）、承認されている場合は承認者へメールを送信(検図・承認依頼)し（ステップＳ２３３）、処理を終了する（ステップＳ２３４）。承認されていない場合は承認者へのメール送信は行わずに処理を終了する。
【００７９】
＜総括＞
以上説明したように、本発明の実施形態にあっては次のような利点がある。
（１）設計計算ツールを探す手間を低減し、統一された設計計算ツールを使用させることができる。
（２）設計計算の実施漏れの有無をチェックするため、実施漏れをなくすことができる。
（３）設計計算結果は設計者によらず統一された場所に保存されるため、過去の設計計算結果を簡単に参照でき、過去の類似機種での計算結果を引き継ぐことで設計計算業務の負荷を軽減することができる。
（４）ＣＡＤのＡＰＩから設計情報を取得し、またはＡＰＩにより書き込むことで、ＣＡＤとの連携を実現し、設計計算結果をモデル・図面に反映することができる。
【００８０】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００８１】
【図１】本発明の一実施形態にかかるシステムの構成例を示す図である。
【図２】設計計算支援ツールの構成例を示す図である。
【図３】ＩＮＩファイルの構造例を示す図である。
【図４】設計計算結果表ＤＢの階層構造の例を示す図である。
【図５】設計計算結果表ＤＢの文書の構造例を示す図である。
【図６】設計計算ツールの例を示す図である。
【図７】設計業務の全体的な処理例を示す図である。
【図８】設計に必要な情報の絞り込みの処理例を示すフローチャートである。
【図９】第１画面の例を示す図である。
【図１０】第２画面の例を示す図である。
【図１１】技術ガイドの表示の処理例を示すフローチャートである。
【図１２】再発防止事例の表示の処理例を示すフローチャートである。
【図１３】設計計算ツールの特定の処理例を示すフローチャートである。
【図１４】第３画面の例を示す図である。
【図１５】既存設計計算結果の参照の処理例を示す図である。
【図１６】設計計算ツールの起動の処理例を示すフローチャートである。
【図１７】ＣＡＤアプリケーションから設計計算ツールへのデータ反映の処理例を示すフローチャートである。
【図１８】設計計算ツールからＣＡＤアプリケーションへのデータ反映の処理例を示すフローチャートである。
【図１９】設計計算結果の保存の処理例を示すフローチャートである。
【図２０】第４画面の例を示す図である。
【図２１】設計計算承認依頼の処理例を示すフローチャートである。
【図２２】検図・承認依頼の処理例を示すフローチャートである。
【符号の説明】
【００８２】
１Ａ〜１Ｃ    クライアント
１１          設計計算支援ツール
１１１        ＵＩ画面制御部
１１２        設計計算ツール特定・起動部
１１３        既存計算結果参照部
１１４        計算結果保存部
１１５        ＣＡＤ連携部
１１６        技術ガイド提供部
１１７        再発防止事例提供部
１２          ＣＡＤアプリケーション
１２１        検図・承認依頼制御部
１２２        ＡＰＩ
２            ネットワーク
３            ＩＮＩファイル管理サーバ
３１          ＩＮＩファイル
３１１        ＩＮＩファイル＃１
３１２        ＩＮＩファイル＃２
３１３        ＩＮＩファイル＃３
３１４        ＩＮＩファイル＃４
３１５        ＩＮＩファイル＃５
３１６        ＩＮＩファイル＃６
４            グループウェアサーバ
４１          設計計算結果表ＤＢ
４１１        設計計算結果表
４１２        設計計算承認依頼制御部
４２          設計計算ツール
４３          技術ガイド
４４          再発防止事例
５１          第１画面
５１１        ユニット名表示欄
５１２        コンテンツ名表示欄
５１３        部品名表示欄
５１４        「ＯＫ」ボタン
５２          第２画面
５２１        設計計算項目名表示欄
５２２        基準値表示欄
５２３        「設計計算を行う」ボタン
５２４        技術ガイド名表示欄
５２５        要約表示欄
５２６        「ガイドを開く」ボタン
５２７        再発防止事例名表示欄
５２８        要約表示欄
５２９        「再発防止事例を開く」ボタン
５３          第３画面
５３１        ガイド参照ボタン
５３２        「設計計算結果表ＤＢ」ボタン
５３３        テーマ名表示欄
５３４        設計段階表示欄
５３５        「計算結果表」ボタン
５３６        設計計算ツール起動ボタン
５３７        「図面へ反映」ボタン
５３８        「設計計算結果表ＤＢに保存」ボタン
５４          第４画面
５４１        テーマ名表示欄
５４２        設計段階表示欄
５４３        コメント入力欄
５４４        「ファイルに保存」ボタン
【図１】
2008225656.tif 000003
【図２】
2008225656.tif 000004
【図３】
2008225656.tif 000005
【図４】
2008225656.tif 000006
【図５】
2008225656.tif 000007
【図６】
2008225656.tif 000008
【図７】
2008225656.tif 000009
【図８】
2008225656.tif 000010
【図９】
2008225656.tif 000011
【図１０】
2008225656.tif 000012
【図１１】
2008225656.tif 000013
【図１２】
2008225656.tif 000014
【図１３】
2008225656.tif 000015
【図１４】
2008225656.tif 000016
【図１５】
2008225656.tif 000017
【図１６】
2008225656.tif 000018
【図１７】
2008225656.tif 000019
【図１８】
2008225656.tif 000020
【図１９】
2008225656.tif 000021
【図２０】
2008225656.tif 000022
【図２１】
2008225656.tif 000023
【図２２】
2008225656.tif 000024